(57)【特許請求の範囲】
【請求項１】
咬合器の底部に下顎用の作業用石膏模型を設け、咬合器に支柱を設け、その支柱の上部に関節部を設け、その関節部で軸の両端部分を支持し、その軸に咬合器を介して上顎用の作業用石膏模型を設け、下顎用の作業用石膏模型に対し上顎用の作業用石膏模型の運動を可能とした義歯製作器具において、咬合器に設定された仮床義歯の周辺に位置するように支持部材を配置して、支持部材により人工歯用の排列器を支持するとともに所望位置に設定する構成にしたことを特徴とする義歯製作器具。
【請求項２】
咬合器の正中前面から外れた位置に支持部材を配置する構成にしたことを特徴とする請求項１に記載の義歯製作器具。
【請求項３】
咬合器の底部に下顎用の作業用石膏模型を設け、咬合器の両側に１対の支柱を設け、それらの支柱の上部に一対の関節部を設け、それらの関節部で軸の両端部分を支持し、その軸に咬合器の頂部を介して上顎用の作業用石膏模型を設け、下顎用の作業用石膏模型に対し上顎用の作業用石膏模型の運動を可能とした義歯製作器具において、センターピンが咬合器の正中前面に取り付け可能になっており、さらに、人工歯用の排列器を支持するとともに上下方向の所望位置に設定するための支持部材が、咬合器に設けられる構成になっていることを特徴とする義歯製作器具。
【請求項４】
支持部材がサイドピンであり、サイドピンによって人工歯用の排列器を支持することを特徴とする請求項１〜３のいずれか１項に記載の義歯製作器具。
【請求項５】
人工歯排列の基準とされる前歯や臼歯の既製人工歯を納めた排列器が、作業用石膏模型を既に装着している状態の咬合器に取り付けられ、そこに溶解したワックスを流すことによって標準的な前歯や臼歯の排列とそれらの部分的な歯肉が形成され、さらに、人工歯の舌側部から歯肉部への移行部は、既製のパターンを張り付けることによって口蓋側や舌側の歯肉形成を行う構成にしたことを特徴とする請求項１〜４のいずれか１項に記載の義歯製作器具。
【発明の詳細な説明】
【０００１】
【発明の属する技術分野】
この発明は、義歯製作器具の改良に関する。
【０００２】
【従来の技術】
従来の人工歯排列は、既製人工歯を使用し、１歯づつ手作業で配列するのが一般的であった。
【０００３】
また、手作業での人工歯排列を補助する装置として、義歯歯牙排列器が特開昭５９−４０８４８号公報に提案されている。この義歯歯牙排列器においては、多数の調節ネジを操作して、人工歯の位置を決定している。
【０００４】
【発明が解決しようとする課題】
前述の特開昭５９−４０８４８号公報の義歯歯牙排列器は、多数の調節ネジを操作しなければならず、相当に高いレベルの熟練者でなければ、手作業と同等以上の時間を要する欠点がある。
【０００５】
また、特開昭５９−４０８４８号公報では、歯肉形成については触れられていない。
【０００６】
他方、すべて手作業で行う従来の咬合器においては、センターピンが正中前面に取り付けられており、相当に高いレベルの熟練者でなければ、前歯部の人工歯排列の作業をうまくできない。
【０００７】
本発明は、熟練者でなくとも個々の患者の歯の形と大小に応じた排列に合わせることのできる義歯製作器具を提供しようとするものである。
【０００８】
【課題を解決するための手段】
本願の第１発明は、咬合器の底部に下顎用の作業用石膏模型を設け、咬合器に支柱を設け、その支柱の上部に関節部を設け、その関節部で軸の両端部分を支持し、その軸に咬合器を介して上顎用の作業用石膏模型を設け、下顎用の作業用石膏模型に対し上顎用の作業用石膏模型の運動を可能とした義歯製作器具において、咬合器に設定された仮床義歯の周辺に位置するように支持部材を配置して、支持部材により人工歯用の排列器を支持するとともに所望位置に設定する構成にしたことを特徴とする義歯製作器具を要旨としている。
【０００９】
本願の第２発明は、咬合器の正中前面から外れた位置に支持部材を配置する構成にしたことを特徴とする前述の義歯製作器具を要旨としている。
【００１０】
本願の第３発明は、咬合器の底部に下顎用の作業用石膏模型を設け、咬合器の両側に１対の支柱を設け、それらの支柱の上部に一対の関節部を設け、それらの関節部で軸の両端部分を支持し、その軸に咬合器の頂部を介して上顎用の作業用石膏模型を設け、下顎用の作業用石膏模型に対し上顎用の作業用石膏模型の運動を可能とした義歯製作器具において、センターピンが咬合器の正中前面に取り付け可能になっており、さらに、人工歯用の排列器を支持するとともに上下方向の所望位置に設定するための支持部材が、咬合器に設けられる構成になっていることを特徴とする義歯製作器具を要旨としているものである。
【００１１】
本願の第４発明は、支持部材がサイドピンであり、サイドピンによって人工歯用の排列器を支持することを特徴とする前述の義歯製作器具を要旨としている。
【００１２】
本願の第５発明は、人工歯排列の基準とされる前歯や臼歯の既製人工歯を納めた排列器が、作業用石膏模型を既に装着している状態の咬合器に取り付けられ、そこに溶解したワックスを流すことによって標準的な前歯や臼歯の排列とそれらの部分的な歯肉が形成され、さらに、人工歯の舌側部から歯肉部への移行部は、既製のパターンを張り付けることによって口蓋側や舌側の歯肉形成を行う構成にしたことを特徴とする前述の義歯製作器具を要旨としている。
【００１３】
【発明の実施の形態】
本発明は、咬合器に支柱を設け、その支柱の上部に関節部を設けて作業用石膏模型の運動を可能とした義歯製作器具を改良したものである。
【００１４】
本発明の義歯製作器具の１つの典型例は、咬合器の底部に下顎用の作業用石膏模型を設け、咬合器の両側に咬合器の底部から上方に延びるように１対の支柱を設け、それらの１対の支柱の上部にボールベアリングを応用した一対の関節部を設け、それらの一対の関節部で軸の両端部分を支持し、その軸に上顎用の作業用石膏模型を設け、下顎用の作業用石膏模型に対し上顎用の作業用石膏模型を開閉、前後及び側方の３運動を可能とした義歯製作器具であるが、本発明は、この型式の義歯製作器具に限定されない。たとえば、本発明は、ボールベアリングを使用しない型式の平均値咬合器（承認番号５４Ｂ第１１１１号）や、半調節性咬合器（承認番号０５Ｂ第１０１５号）その他を改良したものを含むものである。
【００１５】
本発明の典型的な態様による義歯製作器具においては、センターピンが咬合器の正中前面に取り付け可能になっており、人工歯用の排列器を支持するとともに上下方向の所望位置に設定するための支持部材が、咬合器の所望位置、たとえば上顎用の作業用石膏模型を取り付ける咬合器の頂部に設けられる。
【００１６】
好ましい支持部材の例はサイドピンである。サイドピンとは、前述のように咬合器の正中前面に取り付け可能なセンターピンの位置から外れた位置に設けるピンをいう。たとえば、人工歯用の排列器を取り付けるための保持部分を支柱及びセンターピンの少くとも一方に設けて、支柱及びセンターピンの少くとも一方とサイドピンによって人工歯用の排列器を少なくとも３点で支持する。そのとき、好ましくは、一対のサイドピンの保持部分とセンターピンの保持部分によって、人工歯用の排列器を少なくとも３点で支持する。また、一対の支柱の保持部分とセンターピンの保持部分によって、人工歯用の排列器を少なくとも３点で支持する。
【００１７】
本発明の他の態様による義歯製作器具においては、人工歯用の排列器を取り付けるために、咬合器に設定された人工歯（仮床義歯）の外側の位置例えば上顎左右側方の外側の位置にサイドピンを配置する。サイドピンは、特に上顎左右第１小臼歯の外側に配置するのが好ましい。
【００１８】
前述のいずれの義歯製作器具においても、人工歯の舌側部から歯肉部への移行部は、既製のパターンを張り付けることによって口蓋側や舌側の歯肉形成を行うのが好ましい。
【００１９】
また、本発明による義歯製作器具においては、人工歯排列の基準とされる前歯や臼歯（例えば上顎前歯や下顎臼歯）の既製人工歯を納めるための排列器を作業用石膏模型を既に装着している状態の咬合器に取り付け、そこに溶解したワックスを流すことによって標準的な前歯や臼歯（例えば上顎前歯や下顎臼歯）の排列とそれらの部分的な歯肉を形成するのが好ましい。
【００２０】
なお、下顎前歯や上顎臼歯の排列については、上顎前歯、下顎臼歯に合わせ、通法によって行うことができる。
【００２１】
本発明は、サイドピンの態様の支持部材のみに限定されない。人工歯用の排列器を支持するとともに上下方向の所望位置に設定するための支持部材であれば、任意の形態を採用できる。サイドピンの本数は、２本に限られない。また、サイドピンの形態は、後述の図示例に限定されない。
【００２２】
本発明で使用する人工歯用の排列器は、各種の材料、たとえばラバー（シリコンゴムその他）、金属、合成樹脂（プラスチックその他）で作ることができる。人工歯用の排列器の最適の形態は、モールド（型）に凹所を形成して、その凹所に人工歯を装填するものであるが、本発明は、この形態に限定されない。
【００２３】
本発明によれば、熟練者でなくとも個々の患者の歯の形と大小に応じた排列に合わせることができる。
【００２４】
たとえば、人工歯排列の基準とされている前歯や臼歯（例えば上顎前歯と下顎臼歯）の既製人工歯を排列器に納め、作業用石膏模型を既に装着している特別な構成の咬合器に取り付け、溶解したワックスを流すことによって標準的な上顎前歯、下顎臼歯の排列とそれらの部分的な歯肉形成が行える。その際、上顎前歯と下顎臼歯の両方とも、症例によって湾曲の微調整が可能である。
【００２５】
口蓋側や舌側の歯肉形成は、人工歯の舌側部から歯肉部への移行部は、既製のパターンを張り付けることによって簡単に行う事ができる。
【００２６】
これらによって、作業時間の大幅な短縮を達成することができる。
【００２７】
人工歯外側の位置に支持部材（たとえばサイドピン）を配置していると、正中部のセンターピンを取り外しても、咬合高径は変化しない。そのとき、センターピンが取り外れているので、前歯部の排列等の操作が容易となる。
【００２８】
【実施例】
以下、図面を参照して、本発明の好適な実施例を説明する。
【００２９】
図１は、本発明の義歯製作器具の１つの例を示す。
【００３０】
図１の状態においては、咬合器１０に仮床義歯Ａ、Ｂが配置されている。下顎側の仮床義歯Ａは下顎用の作業用石膏模型１３、１４を介して台座１２に配置されている。上顎側の仮床義歯Ｂは上顎用の作業用石膏模型２６，２７を介して台座２５に配置されている。
【００３１】
この点をさらに詳しく説明すると、咬合器１０の両側に咬合器１０の底部１１から上方に延びるように１対の支柱１７，１８を設け、それらの１対の支柱１７，１８の上部にボールベアリング１９（図１には１個のみが示されている）を応用した一対の関節部２０，２１を設け、それらの一対の関節部２０，２１で軸２２の両端部分を支持し、その軸２２に頂部２４が固定されている。
【００３２】
下顎側の仮床義歯Ａに関しては、咬合器１０の底部１１の上側中心に円板状の台座１２を固定ネジ３５により取り外し自在に固定している。その台座１２の上面に２段に下顎用の作業用石膏模型１３、１４を設ける。その下顎用の作業用石膏模型１３、１４には人工歯肉１５と一連の人工歯１６が設けられている。
【００３３】
上顎側の仮床義歯Ｂに関しては、咬合器１０の頂部２４の下側中心に円板状の台座２５を固定ネジ３６により取り外し自在に固定している。その台座２５の下面に２段に上顎用の作業用石膏模型２６，２７を設ける。その上顎用の作業用石膏模型２６，２７には人工歯肉２８と一連の人工歯２９が設けられている。
【００３４】
一対の関節部２０，２１に対する軸２２の取り付け態様を調節ネジ３１，３２，３３，３４により調節する。それにより、仮床義歯Ａ、Ｂの相対位置が調節できる。すなわち、下顎用の作業用石膏模型１３，１４の人工歯肉１５と一連の人工歯１６に対し上顎用の作業用石膏模型２６，２７の人工歯肉２８と一連の人工歯２９を開閉、前後及び側方の３運動を可能としている。
【００３５】
以上説明した咬合器の構成は、従来公知のものを採用できる。
【００３６】
また、支柱１７，１８、底部１１、頂部２４などの部材は、図示例のものに限らず、種々のものが採用できる。
【００３７】
本発明の義歯製作器具にあっては、図１に示すように、咬合器１０に設定された上顎用の作業用石膏模型２６，２７の人工歯２８の上顎左右側方の外側に位置するように、１対のサイドピン４１，４２が配置されている。サイドピン４１，４２は保持部分４９を有し、そこに人工歯用の排列器５０，５１を取り付ける。センターピン４４が咬合器１０の正中前面に取り付けられている。人工歯排列器５０，５１を取り付けるための保持部分４６が、両方の支柱１７，１８に設けられている。人工歯排列器５０，５１を取り付けるための保持部分４７が、センターピン４４に設けられている。ただし、排列器５０，５１は、図１には図示されていない。
【００３８】
１対のサイドピン４１，４２は前述のように人工歯用の排列器５０，５１を取り付けるための保持部分４９を有しているが、保持部分４９の配設位置は咬合器１０に設定された人工歯２９の上顎左右側方の外側の位置にする。とくにサイドピン４１，４２の保持部分４９は、上顎側の仮床義歯Ｂの人工歯２９の上顎左右第１小臼歯の外側に配置するのが好ましい。
【００３９】
サイドピン４１，４２の保持部分４９は、例えば図１に示すように、メネジ付きの小さな円板４９ａをオネジ４９ｂにねじ結合させて、円板４９ａを回すことによりその上下位置を調節できるようにするのが好ましい。
【００４０】
サイドピン４１，４２は、咬合器１０の頂部２４の両側に形成された貫通穴２４ａ，２４ｂに装入されて下方に延びている。調節ネジ６１，６２を調節することにより、サイドピン４１，４２の上下方向の位置を調節する。各サイドピン４１，４２の下端は、咬合器１０の底部１１の両側に配置された皿形状の支持部材６３によって着脱容易に接して支えられるように設定されている。これらの皿形状の支持部材６３は、サイドピン４１，４２の下端を支持する支持面の上下位置が支持部材６３を回転させることにより調節できるようになっている。
【００４１】
センターピン４４の保持部分４７は、特に上顎側の仮床義歯Ｂの人工歯２９の上顎前歯の外側に配置するのが好ましい。センターピン４４の保持部分４７は、例えば図１に示すように、小さな調節ネジ４７ａとそれに交差するようにセンターピン４４の中に水平方向に形成された貫通穴（図示せず）からなる。センターピン４４は、咬合器１０の頂部２４の先端部分に形成された貫通穴２４ｃに装入されて下方に延びている。調節ネジ７０を調節することにより、センターピン４４の上下方向の位置を調節する。センターピン４４の下端は、咬合器１０の底部１１の先端部分に配置された皿形状の支持部材７１によって着脱容易に接して支えられるように設定されている。この皿形状の支持部材７１は、固定ネジ７３によって咬合器１０の底部１１に取り外し自在に取り付けられている。
【００４２】
１対の支柱１７，１８には、前述のように、人工歯用の排列器を取り付けるための保持部分４６，４６が設けられているが、これらの保持部分４６，４６も、サイドピン４１，４２の保持部分４９やセンターピン４４の保持部分４７と同様に、咬合器１０に設定されたときの上顎側の仮床義歯Ｂの人工歯２９の側方外側の対応する水平位置に設置するのが好ましい。また、図には示していないが、これらの保持部分４６，４６も、皿形状の支持部材６３と同様に、人工歯用の排列器を支持する支持面の上下位置を調節できるようになっている。
【００４３】
底部１１の下面には３個の脚９９が設けられている。
【００４４】
本発明においては、各種の人工歯用の排列器を使用できるが、図示例では２種の人工歯用の排列器５０，５１が使用されている。
【００４５】
図４と図８は、人工歯排列の基準とされている下顎臼歯の既製人工歯を排列器に納める例を示している。支柱１７，１８の保持部分４６に固定ネジ８１によって排列器５０が取り外し自在に固定されている。この例の排列器５０は、４本の薄い板状部材５０ａ，５０ｂ，５０ｃ，５０ｄがほぼカタカナの「イ」の字を２つ線対称になるように合わせた形に組み立てられている。
【００４６】
図４において、左側の２本の板状部材５０ａ，５０ｃと、上側の２本の板状部材５０ｃ，５０ｄは可動に接合されており、右側の２本の板状部材５０ｂ，５０ｄは不動に接合されており、下側の２本の板状部材５０ａ，５０ｂの一端が支柱１７，１８の保持部分４６に固定ネジ８１によって取り外し自在に固定されている。上側の２本の板状部材５０ｃ，５０ｄの端部はサイドピン４１，４２の保持部分４９に固定ネジ８３，８４によって取り外し自在に固定されている。したがって、排列器５０は取り外し自在に支柱１７，１８の保持部分４６とサイドピン４１，４２の保持部分４９に固定されているのである。
【００４７】
排列器５０の両側の２本の板状部材５０ａ，５０ｂの片側部分には、図４と図８に例示するように、臼歯の既製人工歯を納めるためのラバー製の収納部５０ｅ，５０ｆが固定されている。これらのラバー製の収納部５０ｅ，５０ｆには、凹所（図示せず）が形成されていて、そこに臼歯の既製人工歯を納めて弾力的に保持するようになっている。
【００４８】
図２と図５は、人工歯排列の基準とされている上顎前歯の既製人工歯を排列器５１のラバー製の収納部９２の凹所９２ａに納める例を示している。水平方向に延びて途中でクランク上に曲がっているバー９０は、一端部分がセンターピン４４の保持部分４７に軸心方向に位置調節可能に取り付けられていて、バー９０の他端は、図２に良く示されているように排列器５１の収納部９２に少し突き刺さっている。それによりセンターピン４４はバー９０を介して排列器５１のラバー製の収納部９２を所定位置に保持している。
【００４９】
さらに、この排列器５１の収納部分９２は、プラスチック製の薄い板状部材９４，９５によってサイドピン４１，４２の保持部分４９に固定ネジ８３，８４によって取り外し自在に固定されている。これらの２枚の板状部材９４，９５は、一体に形成してもよい。いずれにしても、それにより、サイドピン４１，４２は薄い板状部材９４，９５を介して排列器５１の収納部９２を所定位置に保持している。
【００５０】
なお、バー９０は、図２に示すように、排列器５１の収納部分９２を固定する構成にしたものや、単純な針の形状にしたもの（図示せず）、その他を任意に選択して、センターピン４４の保持部分４７に装着できる構成になっており、図示例に限定されるものではない。
【００５１】
図示されている義歯製作器具においては、人工歯排列の基準とされている上顎前歯の既製人工歯２９は排列器５１のラバー製の収納部９２の凹所９２ａに納め、人工歯排列の基準とされている下顎臼歯の既製人工歯１６は排列器５０の収納部５０ｅ，５０ｆの凹所（図示せず）に納め、２種類の排列器５０，５１のいずれか一方を、まずそれに対応する作業用石膏模型１３，１４，２６又は２７を固定した咬合器１０に取り付け、溶解したワックスを排列器５０又は５１に流すことによって標準的な上顎前歯又は下顎臼歯の排列とそれらの部分的な歯肉形成を行ない、そのあと、他方の排列器を取りつけて処置する。その際、必要に応じて、上顎前歯と下顎臼歯の両方とも、症例によって湾曲の微調整を行う。
【００５２】
図には示されていないが、口蓋側や舌側の歯肉形成は、人工歯の舌側部から歯肉部への移行部は、既製のパターンを張り付けることによって行う。
【００５３】
図８に示すように、人工歯の上顎左右側方の外側の位置に１対のサイドピン４１，４２が配置されているので、正中部のセンターピン４４を取り外しても、咬合高径は変化せず、したがって前歯部分の排列その他の操作が未熟練の者にも容易に行える。
【００５４】
図９は、人工歯用の排列器の変形例の１つを示している。この例の排列器は、ラハーで作られた人工歯モールドが小さな輪の形をしていて、その様な輪が数多く連なっている。それらの一連の輪は金属部材（図示せず）で固定されている。その金属部材の端部が図２と図５の実施例と同様にサイドピン４１，４２の保持部分４９に固定ネジ８３，８４によって取り外し自在に固定されている。
【００５５】
以下、本発明による義歯製作器具の使用方法の一例を説明する。
【００５６】
咬合器装着
通法によって製作され、咬合採得された蝋堤を、図１に示すような本発明の咬合器１０の所定位置に石膏などで装着する。
【００５７】
人工歯の選択
前歯部及び／又は臼歯部の幅径によって人工歯の形態（大きさ及びタイプ）を選択する。
【００５８】
排列器への人工歯装着
選択した人工歯に該当する人工歯モールド５０ｅ，５０ｆ，９２などを選択し、人工歯モールド中に人工歯１６，１９を装着する。
【００５９】
次いで、前歯部は図５に示すような前歯部用の排列器５１に取り付け、臼歯部は図４に示すような臼歯部用の排列器５０に取り付ける。
【００６０】
咬合器への排列器装着
上顎前歯部については、蝋堤の前歯部分を削除し（咬合床のみにする）、排列器５１を取り付ける。その後、排列器５１と咬合床の隙間から、溶解したワックスを流して固着する。
【００６１】
下顎臼歯部については、上顎前歯部の咬合床への人工歯固着ステップが終了した後に行う。つまり、下顎臼歯部の蝋堤の下顎部分を削除し、排列器５０を取り付ける。その後、下顎臼歯部については、咬合器５０を逆にし、排列器５０と咬合床の隙間からワックスを流して固着する。
【００６２】
下顎前歯、上顎臼歯の排列
下顎前歯は、上顎前歯に合わせ、通法によって排列する。
【００６３】
上顎臼歯は、下顎臼歯に合わせ、通法によって排列する。
【００６４】
人工歯周辺の歯肉形成
下顎前歯唇側用、舌側用、上顎臼歯頬側用、舌側用（左側用、右側用）のモールドのパターンを該当部分に付け、周辺をワックスで整理する。
【００６５】
その他の歯肉形成
残りの部分の歯肉形成を行い、蝋義歯が完成する。
【００６６】
口腔内試適
これは必要あれば行う。
【００６７】
フラスコ埋没、重合、研磨
これらの処理は通法によって行う。
【００６８】
人工歯周辺の歯肉形成ステップで使用したモールドパターン歯は、数回の使用に耐えるため、脱蝋時に回収しておく。
【図面の簡単な説明】
【図１】本発明による義歯製作器具の一例を示す概略斜視図。
【図２】図１に示した本発明による義歯製作器具を一部省略して一部断面で示す概略右側面図。
【図３】図１に示した義歯製作器具を一部省略して示す概略上面図。
【図４】図１に示した義歯製作器具に使用する下顎臼歯部用の排列器を逆向きにして一部省略して示す概略上面図。
【図５】図１に示した義歯製作器具に使用する上顎前歯用の排列器を一部省略して下側から見て示す概略図。
【図６】図１に示した本発明による義歯製作器具の、図２の態様とは別の態様を一部省略して一部断面で示す概略右側面図。
【図７】図１に示した義歯製作器具の底部を一部省略して示す概略平面図。
【図８】図１に示した本発明による義歯製作器具の、図２や図６の態様とは別の態様を一部省略して一部断面で示す概略右側面図。
【図９】本発明に使用する義歯製作器具の上顎前歯用の排列器の変形例を一部省略して示す概略断面図。
【符号の説明】
１０  咬合器
１１  底部
１２  台座
１３，１４  作業用石膏模型
１５  人工歯肉
１６  人工歯
１７，１８  支柱
１９  ボールベアリング
２０，２１  関節部
２２  軸
２４  頂部
２４ａ，２４ｂ  貫通穴
２６，２７  作業用石膏模型
２８  人工歯肉
２９  人工歯
３１，３２，３３，３４  調節ネジ
３５  固定ネジ
４１，４２  サイドピン
４４  センターピン
４６，４７  保持部分
４７ａ  調節ネジ
４９  保持部分
５０，５１  人工歯排列器
５０ｅ，５０ｆ  収納部
６１，６２  調節ネジ
６３  支持部材
７０  調節ネジ
７１  支持部材
７３  固定ネジ
８１  固定ネジ
８３，８４  固定ネジ
９０  バー
９２  収納部
９９  脚
Ａ  仮床義歯
Ｂ  仮床義歯
【図１】
0003558190.tif 000002
【図２】
0003558190.tif 000003
【図３】
0003558190.tif 000004
【図４】
0003558190.tif 000005
【図５】
0003558190.tif 000006
【図６】
0003558190.tif 000007
【図７】
0003558190.tif 000008
【図８】
0003558190.tif 000009
【図９】
0003558190.tif 000010